(57)【要約】【課題】受信装置が受信する電波がどの方向から発信され、受信装置と発信装置との距離がどの程度あるのかを容易に判断することができる方向指示装置を提供すること。【解決手段】特定の情報を備えた電波を発信する発信装置１と、該発信装置１が発信する電波を受信する受信装置２との組み合わせからなる、以下の要件を備えることを特徴とする方向指示装置。（イ）上記受信装置２は複数の発光手段３を周方向に等間隔に配置し、上記電波が発信される方向を上記発光手段３の点灯状態で表示すること（ロ）上記受信装置２は上記発信装置１との距離に対応して上記発光手段３の点灯状態が変化すること【選択図】図１
2006024117.tif 000002
【特許請求の範囲】
【請求項１】
特定の情報を備えた電波を発信する発信装置と、該発信装置が発信する電波を受信する受信装置との組み合わせからなる、以下の要件を備えることを特徴とする方向指示装置。
（イ）上記受信装置は複数の発光手段を周方向に等間隔に配置し、上記電波が発信される方向を上記発光手段の点灯状態で表示すること
（ロ）上記受信装置と上記発信装置との距離に対応して上記発光手段の点灯状態が変化すること
【請求項２】
前記受信装置は複数の指向性を有するアンテナを周方向に等間隔に配置し、各アンテナを順番に機能させるとともに、前記発光手段を上記アンテナに対応して配置した、請求項１記載の方向指示装置。
【発明の詳細な説明】
【技術分野】
【０００１】
本発明は、方向指示装置、詳しくは特定の電波を発信する発信装置と、その電波を受信する受信装置との組み合わせからなる方向指示装置に関するものである。
【背景技術】
【０００２】
従来、物体に取り付けられた発信装置と、該発信装置からの情報を受信する受信装置よりなり、前記受信装置に、表示部とマイク兼スピーカを設け、発信装置との距離に応じて表示部の表示ランプの点灯を制御する手段を設けると共に、前記マイク兼スピーカから発信装置との距離に応じた音を発する手段を備えた物体発見装置が提案されている（例えば、特許文献１）。
【特許文献１】特開２００２−１４０７７７号公報
【発明の開示】
【発明が解決しようとする課題】
【０００３】
本発明が解決しようとする問題点は、上述の物体発見装置は、発信装置と受信装置との間隔は判断することはできるが、発信装置がどの方向にあるのかが即断できない点であった。
【０００４】
本発明は、上記問題点を解決し、受信装置が受信する電波がどの方向から発信され、受信装置と発信装置との距離がどの程度あるのかを容易に判断することができる方向指示装置を提供することを課題とする。
【課題を解決するための手段】
【０００５】
前記課題を解決するために本発明に係る方向指示装置は、特定の電波を発信する発信装置と、該発信装置が発信する電波を受信する受信装置との組み合わせからなる、以下の要件を備えることを特徴とする。
（イ）上記受信装置は複数の発光手段を周方向に等間隔に配置し、上記電波が発信される方向を上記発光手段の点灯状態で表示すること
（ロ）上記受信装置は上記発信装置との距離に対応して点灯状態が変化すること
【０００６】
なお、前記受信装置は複数の指向性を有するアンテナを周方向に等間隔に配置し、各アンテナを順番に機能させるとともに、前記発光手段を上記アンテナに対応して配置することが好ましい。
【発明の効果】
【０００７】
請求項１の発明によれば、発信装置が発信した電波を受信した受信装置は、発信装置がどの方向から電波を発信しているのか、また受信装置と発信装置との距離がどの程度あるのかを発光手段の発光状態を見ることにより瞬時に判断することができ、特別な操作を必要とせず簡単に方向を認識することができる方向指示装置を提供することができる。
【０００８】
請求項２の発明によれば、受信装置に複数のアンテナを配置するとともに、このアンテナを順番に機能させることにより、単一の回路で複数の方角を認識することができる方向指示装置を実現することができる。
【発明を実施するための最良の形態】
【０００９】
特定の電波を発信する発信装置と、該発信装置が発信する電波を受信する受信装置との組み合わせからなる方向指示装置において、上記受信装置は複数の発光手段を周方向に等間隔に配置し、上記電波が発信される方向を上記発光手段の点灯状態で表示するとともに、上記発光手段は上記発信装置との距離に対応して点灯状態が変化するようにした。
【実施例１】
【００１０】
図１は本発明に係る方向指示装置を構成する発信装置１と受信装置２とを示し、発信装置１は特定の情報を備えた電波を発信し、受信装置２は受信した電波が上記発信装置１が発信した電波か否かを判断し、受信した電波が上記発信装置１が発信した電波と判断すると、発光手段３の点灯状態で電波の発信されている方向、発信装置１との距離を表示するようにしたものである。
【００１１】
発信装置１はＵＦＯを模して円盤状に形成されたケースの内部には、図２（ａ）に示すように、アンテナ１０、アンプ１１、発振器１２、ＣＰＵ１３、ＩＤ設定用のＥＥＰＲＯＭ１４、バッテリ１５及び、定電圧回路１６とが収容され電源スイッチ１７をＯＮすると、ＣＰＵ１３は数秒間に１回の割合で、所定の周波数帯（２．４Ｇ帯）の電波で発信装置ごとに設定されたＩＤを変調して発信し、発信時にはドライバ１９を介してＬＥＤ１８を点灯させ、発信していることが目視チェックできるようになっている。本実施例では同一エリア内で多数（４０９６個）の発信装置１を識別できるようにするため発信装置１ごとに設定するＩＤを１２ｂｉｔで構成し、このＩＤは上記ＥＥＰＲＯＭに記憶させた。
【００１２】
受信装置２はＵＦＯを模して円盤状に形成されたケースの内部には、図２（ｂ）に示すように、4つの指向性アンテナ２０（２０ａ〜２０ｄ）と、このアンテナ２０ａ〜２０ｄを切り替えるスイッチ部２１、アンプ２２、フィルター２３、チューナー２４、ＣＰＵ２５、ＩＤ設定用のＥＥＰＲＯＭ２６、発光手段であるＬＥＤ３（３ａ〜３ｈ）、ＬＥＤのドライバ２７、バッテリ２８及び、定電圧回路２９が収容され、押しボタンスイッチ３０を押し操作すると、ＣＰＵ２５はアンテナ２０を選択する選択信号（ｓ１〜ｓ４）でスイッチ部２１を作動させ、アンテナ２０ａ〜２０ｄを順番に機能させるようになっており、機能しているアンテナ２０の受信信号はアンプ２２で増幅され、フィルター２３でノイズが除かれ、チューナー２４で復調されてＩＤがＣＰＵ２５に取り込まれるようになっており、ＣＰＵ２５では受信信号のＩＤを判断し、ＥＥＰＲＯＭ２６に設定されているＩＤと同一のＩＤであれば、受信のレベルを判断し、アンテナ２０に対応したＬＥＤ３を選択してＬＥＤ駆動信号（ｄ１〜ｄ８）を出力することにより、選択されたＬＥＤ３が受信レベルに応じた発光状態で発光するようになっている。
【００１３】
このレベルは遠距離（１００メートル近辺）、中距離（５０メートル近辺）近距離（１０メートル近辺）の三段階に設定され、ＬＥＤ駆動信号（ｄ１〜ｄ８）は遠距離以上ではＬＥＤは点灯しないように出力されず、遠距離以内では点灯するようにＬＥＤ駆動信号（ｄ１〜ｄ８）はＯＮの状態で出力され、中距離になるとＬＥＤ駆動信号（ｄ１〜ｄ８）は周期の長いパルス信号で出力されるのでゆっくり点滅し、近距離になると周期の短いパルス信号で出力されるので早い点滅の発光状態になるように設定されている。
【００１４】
上記アンテナ２０ａ〜２０ｄとＬＥＤ３ａ〜３ｈとは基板３１上に周方向に等間隔に配置され、上ケース２ａのＬＥＤ２０に対応する部分は開口し、この開口部３２には導光板３３が嵌めこまれ、内部で発光するＬＥＤ３を外部から確実に視認できるようになっている。
【００１５】
上記アンテナ２とＬＥＤ３との関係は、図４に示すように、指向性アンテナ２０ａ〜２０ｄが周方向に等間隔（９０度毎）に４つ配置され、ＬＥＤ３ａ〜３ｈはアンテナ２の中央及びアンテナ２の間に周方向に等間隔（４５度毎）に配置され、４つのアンテナ２０ａ〜２０ｄで８方向を監視し、その方向を８個のＬＥＤ３ａ〜３ｈで指示することができるようになっている。
【００１６】
例えば、ａ方向に発信装置がある場合は、アンテナ２０ａが電波を受信し、ｂ方向に発信装置がある場合は、２つのアンテナ２０ａ、２０ｂが電波を受信することになるので、アンテナ２０ａのみが電波を受信したときは、ａ方向に対応したＬＥＤ３ａを点灯若しくは点滅させ、アンテナ２０ａ、２０ｂが電波を受信したときは、ｂ方向に対応したＬＥＤ３ｂを点灯若しくは点滅させるので、同様にして４つのアンテナ２０ａ〜２０ｄで８方向を監視することができるようになっている。
【００１７】
次に上述の方向指示装置の使用態様の一例について説明する。
【００１８】
例えば、図５に示すように、広い駐車場に車Ａを駐車し、車から離れてしまうと、自分がどこに駐車したかわからなくなる場合があるが、車を離れる際、発信装置１の電源をＯＮにしておけば、発信装置１から定期的に電波が発信されているので、受信装置２のスイッチ３０をＯＮすると、スイッチ３０を押している間は電波を検出することができるので、その電波が発信されている方向に対応したアンテナ２０が電波を受信すると、ＣＰＵ２５はその電波を受信したアンテナ２０に対応したＬＥＤ３を発光させるとともに、発信装置１までの距離（電波の強度）に対応して、ＬＥＤ３を点灯又は点滅させることにより、ユーザーに発信装置１（自分の車Ａ´）がどの方向にあるのか、そして大まかな距離がわかるので、点灯又は点滅しているＬＥＤ３の方向に向かって進めば、ＬＥＤ３の発光状態が点灯から点滅、若しくはゆっくりした点滅から早い点滅に変わるので、その発光状態により発信装置１に近づいたことが判り、至近距離までくれば自分の車Ａ´が目に入ることになり、自分の車を直ちに発見することができる。
【００１９】
この方向指示装置は、母子で買い物に出かける際、子供に発信装置１を取り付け、母親が受信装置２を携帯するようにしてもよい。このことにより、広いスーパーマーケットの中で子供が離れても直ぐに発見することができるので、子供に注意が行き買い物に専念できないようなことがなくなるとともに、子供とはぐれても直ぐに見つけ出すことができるので安心して買い物をすることができる。
【産業上の利用可能性】
【００２０】
上述の方向指示装置は、発信装置１と受信装置２とにそれぞれ同一のＩＤが設定され、このＩＤが同一のエリアで重複しないように多数のＩＤが設定されているが、この方向指示装置が普及して広く用いられるようになると同一エリアでＩＤが重複しないとはいえないので、発信装置１と受信装置２とにＩＤを変更するロータリースイッチ（図示せず）を設け、使用する際に受信装置２の押しボタン３０を押して同一ＩＤの発信装置があるか否かを判断し、もし受信装置のＬＥＤが点灯するような場合があったならば、ロータリースイッチを操作してＩＤを変更し、再度受信確認をして同一ＩＤの発信装置があるか否かを判断し、ＬＥＤの発光がなければ、自分の発信装置のロータリースイッチを操作して発信装置と受信装置のＩＤが同一になるように設定することにより、設定したＩＤをＥＥＰＲＯＭ１４、１６に登録し、登録したＩＤを使用することによりＩＤの重複によるトラブルを回避することができる。
【図面の簡単な説明】
【００２１】
【図１】本発明に係る方向指示装置の構成を示す斜視図
【図２】（ａ）（ｂ）は発信装置と受信装置のブロック図
【図３】受信装置の分解斜視図
【図４】アンテナとＬＥＤとの関係を説明する基板の平面図
【図５】上記方向指示装置の使用状態の一例を示す説明図
【符号の説明】
【００２２】
１    発信装置
２    受信装置
３    発光手段（ＬＥＤ）
４    アンテナ
【図１】
2006024117.tif 000003
【図２】
2006024117.tif 000004
【図３】
2006024117.tif 000005
【図４】
2006024117.tif 000006
【図５】
2006024117.tif 000007